(57)【要約】【課題】電源部への水滴の侵入を防止し、なおかつ放熱板の放熱性能を損なうことなく電源板の温度上昇を抑制する空気調和機の室外ユニットを提供する。【解決手段】風回路室８と電源部１８とを仕切ると共に、一部に前記風回路室８と前記電源部１８とを連通する開口部１７ａを具備した電源板１７と、前記電源板１７に設けられ制御回路１９を内蔵する電源ＢＯＸ２０と、前記電源ＢＯＸ２０に設けられると共に前記電源部１８と前記開口部１７ａを連通するダクト２０ａとを備えたもので、電源板１７内部の電源ＢＯＸ２０にダクト２０ａを形成することができ雨水等による水滴の浸入を防ぐとともに、制御回路１９に設けられた発熱部品１４の放熱部１３ａの冷却風の通過を邪魔することなく、電源板１７内部の熱を排出できるため効率よく、温度上昇を抑制することができる。【選択図】図１
2009097743.tif 000002
【特許請求の範囲】
【請求項１】
風回路室と電源部とを仕切ると共に、一部に前記風回路室と前記電源部とを連通する開口部を具備した電源板と、前記電源板に設けられ制御回路を内蔵する電源ＢＯＸと、前記電源ＢＯＸに設けられると共に前記電源部と前記開口部を連通するダクトとを備えたことを特徴とする空気調和機の室外ユニット。
【請求項２】
開口部を、電源ＢＯＸ内の制御回路よりも下方に配したことを特徴とする請求項１に記載の空気調和機の室外ユニット。
【請求項３】
ダクトを、制御回路の外周に配したことを特徴とする請求項１または２に記載の空気調和機の室外ユニット。
【請求項４】
ダクトの端部に、電源部の空気を吸込むための吸込み口を設け、前記吸込み口を制御回路の発熱部品の近傍に配したことを特徴とする請求項１〜３のいずれか１項に記載の空気調和機の室外ユニット。
【請求項５】
ダクトの端部以外の部位にも吸込み口を設けたことを特徴とする請求項４に記載の空気調和機の室外ユニット。
【発明の詳細な説明】
【技術分野】
【０００１】
本発明は、空気調和機の室外ユニットに関するもので、より詳細には電源部の温度上昇を抑制する電源板の構造に関するものである。
【背景技術】
【０００２】
近年、大能力タイプのルームエアコンの室外ユニットやパッケージエアコンの室外ユニットでは、インバーター化に伴う電源部の温度上昇を抑制するために、電源板は、内部の空気を循環させるための通風経路を設けた構成となっている（例えば、特許文献１参照）。
【０００３】
以下に、従来の空気調和機の室外ユニットの構成を図５を用いて説明する。
【０００４】
図５は、上記特許文献１に開示された従来の空気調和機の室外ユニットの断面図で、同図５において、従来の空気調和機の室外ユニット１は、天板２と左右側板３、４からなる外箱５及び基板６で形成され、内部にファン７、熱交換器（図示せず）を内蔵する風回路室８、圧縮機９と電源板１０を内蔵する機械室１１が設けられ、これらが仕切板１２にて隔てられている。
【０００５】
電源板１０は、一端にアルミニウムなどの熱伝導率の高い材料で形成された放熱板１３が設けられ、この放熱板１３の一方の面に断面が波状の放熱部１３ａが形成され、他方の面にはパワーモジュール等の発熱部品１４が取り付けられている。この発熱部品１４で発生する熱は、放熱板１３に伝わり放熱部１３ａから放熱されるようになっている。また、放熱板１３の放熱部１３ａの周囲は、下面を開放した略コ字状のダクト１５により覆われており、このダクト１５と放熱板１３の放熱部１３ａおよび電源板１０の上面により電源板１０内部と風回路室８を通風する風路１６を設けて構成している。
【０００６】
以上のように構成された空気調和機の室外ユニットにおいて、圧縮機９の運転による熱や発熱部品１４を始めとする制御回路（図示せず）の発熱により、電源板１０内に溜まった熱は、ファン７の回転により風路１６から吸引され、室内ユニット１外へ排出されることで電源板１０の温度上昇の抑制を図っている。また、雨天時や清掃によりファン７に付着した雨水等の水滴がファン７の回転により飛散した場合でも、ダクト１５により電源板１０内部へ侵入するのを防いでいる。
【特許文献１】特開２００３−５６８６５号公報
【発明の開示】
【発明が解決しようとする課題】
【０００７】
しかしながら上記従来の空気調和機の室外ユニットの構成では、雨水等の水滴が電源板１０内部へ侵入するのを防止するために設けたダクト１５により、放熱板１３の放熱部１３ａが覆われるため、本体背面より熱交換器（図示せず）を通過して排出される本来の放熱部１３ａの冷却風の通過を妨害してしまうことから熱交換効率の低下の要因になっていた。
【０００８】
本発明は、上記従来の課題を解決するもので、安価な構成で、放熱部の冷却風の通過を邪魔することなくダクトを形成するとともに、電源板内への水滴の侵入を防止し、信頼性の高い空気調和機の室外ユニットを提供することを目的とするものである。
【課題を解決するための手段】
【０００９】
上記従来の課題を解決するために、本発明の空気調和機の室外ユニットは、風回路室と電源部とを仕切ると共に、一部に前記風回路室と前記電源部とを連通する開口部を具備した電源板と、前記電源板に設けられ制御回路を内蔵する電源ＢＯＸと、前記電源ＢＯＸに設けられると共に前記電源部と前記開口部を連通するダクトとを備えたもので、電源板内部の電源ＢＯＸにダクトを形成することができ雨水等による水滴の浸入を防ぐとともに、制御回路に設けた発熱部品の放熱を行なう放熱部の冷却風の通過を邪魔することなく電源板内部の熱を排出できるため効率よく温度上昇の抑制を図ることができる。
【発明の効果】
【００１０】
本発明の空気調和機の室外ユニットは、安価な構成で放熱板の冷却効果を損なうことなく電源板内部の温度上昇が抑制できるとともに、電源板内部への水滴の侵入を防止できるものである。
【発明を実施するための最良の形態】
【００１１】
第１の発明は、風回路室と電源部とを仕切ると共に、一部に前記風回路室と前記電源部とを連通する開口部を具備した電源板と、前記電源板に設けられ制御回路を内蔵する電源ＢＯＸと、前記電源ＢＯＸに設けられると共に前記電源部と前記開口部を連通するダクトとを備えたもので、電源板内部の電源ＢＯＸにダクトを形成することができ雨水等による水滴の浸入を防ぐとともに、制御回路に設けた発熱部品の放熱を行なう放熱部の冷却風の通過を邪魔することなく電源板内部の熱を排出できるため効率よく温度上昇の抑制を図ることができる。
【００１２】
第２の発明は、特に、第１の発明の開口部を、電源ＢＯＸ内の制御回路よりも下方に配したもので、電源板の組立てばらつきにより開口部を構成する部品間に隙間が出来た際に、その隙間から水滴が侵入した場合でも制御回路に水滴がかかることがない。
【００１３】
第３の発明は、特に、第１又は第２の発明のダクトを、制御回路の外周に配したもので、ダクトに電源部の空気を吸込むための吸込み口を設ける場合、その吸込み口を電源ＢＯＸの任意の位置に設けることができるとともに、電源ＢＯＸ内での制御回路の配置が中央部へ集約でき、形状の簡素化、スペースの有効活用が図れる。
【００１４】
第４の発明は、特に、第１〜３のいずれか一つの発明のダクトの端部に、電源部の空気を吸込むための吸込み口を設け、前記吸込み口を制御回路の発熱部品の近傍に配したもので、発熱部品より発する熱を直ちに排出することができる。
【００１５】
第５の発明は、特に、第４の発明のダクトの端部以外の部位にも吸込み口を設けたもので、電源板内部の熱全体を効率よく排出することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の室外ユニットの電源部の断面図で、図２は、同電源部の斜視図で、図３は、同電源部の分解斜視図である。なお、本実施の形態における空気調和機の室外ユニットのシャーシ構成は、従来例と同様であるので、同一部分については同一符号を付してその説明を省略する。
【００１８】
図１、図２、図３において、機械室１１の上部に設けられた略コ字状の電源板１７は、仕切板１２の上方に風回路室８と電源部１８とを連通する開口部１７ａを具備し、内部に開口部１７ａより上方に配した制御回路１９を内蔵する電源ＢＯＸ２０が仕切板１２の上
部に風回路室８と電源板１７内部とを仕切るように設けられている。
【００１９】
電源ＢＯＸ２０は、一端にアルミニウムなどの熱伝導率の高い材料で形成された放熱板１３を具備し、この放熱板１３の一方の面には、風回路室８に向かって伸びると共に断面が波状の放熱部１３ａが形成され、他方の面には、パワーモジュール等の発熱部品１４が取り付けられている。この発熱部品１４で発生する熱は、放熱板１３に伝わり放熱部１３ａから放熱されるようになっている。さらに電源ＢＯＸ２０には、制御回路１９の下方から電源板１７の開口部１７ａを覆うように形成したダクト２０ａが、制御回路１９の外周に上方に向かって端部に、電源部１８の空気を吸込む為の吸込み口２０ｂを設けて形成されている。これにより、吸込み口２０ｂを介して、電源部１８と、開口部１７ａが連通される。なお、吸込み口２０ｂは、制御回路１９の下端から上端までの間で、任意の位置に設けることができるとともに、発熱部品１４の近傍に設けることもできる。
【００２０】
以上のように、圧縮機（図示せず）の運転による熱や発熱部品１４を始めとする制御回路１９の発熱により電源板１７内に溜まった熱は、ファン７の回転により電源ＢＯＸ２０の吸込み口２０ｂから吸引され、ダクト２０ａを通って電源板１７の開口部１７ａから排出され、室外ユニット１外へ排出される。
【００２１】
また、雨天時や清掃によりファン７に付着した雨水等の水滴がファン７の回転により飛散した場合は、電源板１７の開口部１７ａには侵入するものの、ダクト２０ａにより遮断され、電源板１７内部へ侵入することはない。また、吸込み口２０ｂは任意の位置に設けることが可能であるため設計裕度が向上するとともに効率よく温度上昇を抑制することができる。
【００２２】
（実施の形態２）
図４は、本発明の第２の実施の形態における空気調和機の室外ユニットの電源ＢＯＸの斜視図である。なお、上記第１の実施の形態における空気調和機の室外ユニットと同一部分については同一符号を付してその説明を省略する。
【００２３】
本実施の形態では、図４に示すように、電源ＢＯＸ２０に設けたダクト２０ａの端部の吸込み口２０ｂ以外の部位にも、電源部１８より空気を吸い込むための吸込み口２０ｃを複数設けている。これにより電源板１７内部の熱全体を効率よく排出することができる。
【産業上の利用可能性】
【００２４】
以上のように、本発明に係る空気調和機の室外ユニットは、安価な構成で、確実に、しかも簡単に放熱板の冷却効果を損なうことなく電源板内部の温度上昇が抑制できるとともに、電源板内部への水滴の侵入を防止できるので、作業効率が非常に良く製品の品質も向上する。そのため、空気調和機の室外ユニットだけに限らず、放熱が必要なインバーター機器にも適用できる。
【図面の簡単な説明】
【００２５】
【図１】本発明の実施の形態１における空気調和機の室外ユニットの電源部の断面図
【図２】同電源部の斜視図
【図３】同電源部の分解斜視図
【図４】本発明の実施の形態２における空気調和機の室外ユニットの電源ＢＯＸの斜視図
【図５】従来の空気調和機の室外ユニットの断面図
【符号の説明】
【００２６】
８  風回路室
１３ａ  放熱部
１４  発熱部品
１７  電源板
１７ａ  開口部
１８  電源部
１９  制御回路
２０  電源ＢＯＸ
２０ａ  ダクト
２０ｂ、２０ｃ  吸込み口
【図１】
2009097743.tif 000003
【図２】
2009097743.tif 000004
【図３】
2009097743.tif 000005
【図４】
2009097743.tif 000006
【図５】
2009097743.tif 000007